(57)【要約】  【課題】  ダッシュボード等の何かの上に設置したときと、サンバイザー等のなにかから吊り下げたときとで、ヒューマンインターフェイス部が逆さまにならないレーダー探知機を提供する  【解決手段】  ダッシュボード等の上に設置するときは、第２筐体５を第１筐体４の上に載置した状態でダッシュボードの上に配置する。するとダッシュボードの上に配置されたレーダー探知機１は、太陽電池パネル４０を上方に向けて設置することが出来る。一方、第１筐体４を第１回転軸６１回りに回転させるとともに、連結具６を第２回転軸６２回りに回転させる（図６（ｂ））。すると、太陽電池パネル６０が第２筐体５の後方で上方を向いて設置される（図６（ｃ））。すると、第１筐体４を開いても、第２筐体５をひっくり返すことなく、太陽電池パネル６０を上方に向けた状態で設置することができる。【選択図】  図６
2005227173.tif 000002
【特許請求の範囲】
【請求項１】
太陽電池パネルが上面に積層された第１筐体と、
この第１筐体を載置可能な載置部を上面に有し、この載置部の周縁部の一縁側にヒューマンインターフェイス部が形成された第２筐体と、
前記第２筐体内に設置されたレーダー探知手段と
を備えるレーダー探知機において、
前記載置部を挟んで前記ヒューマンインターフェイスが設置された前方側とは反対側である後方側の前記第２筐体の後端部に連結された連結具を備え、
この連結具は、前記第２筐体の上面に平行な平面内で前記第２筐体の前後方向に垂直な第１回転軸部と、この第１回転軸部に垂直な第２回転軸部とを有し、前記第１回転軸部と前記第２回転軸部とを介して前記第１筐体及び前記第２筐体とを連結していることを特徴とするレーダー探知機。
【請求項２】
請求項１記載のレーダー探知機において、
前記第２回転軸部を介して前記連結具と前記第２筐体とが連結されている前記第２筐体の上面及び下面に対し着脱可能に形成され、前記第２筐体に取り付けられると前記連結具の前記第２回転軸部の回転を防止する回転防止具を備えていることを特徴とするレーダー探知具。
【請求項３】
請求項１，２のいずれか記載のレーダー探知機において、
前記連結具は、
前記第２回転軸部を介して前記連結具と前記第２筐体とを連結し、前記第１回転軸部を介して前記連結具と前記第１筐体とを連結するよう形成され、
前記第１筐体から前記第２筐体に前記太陽電池パネルから供給された電力を供給する電力線を、前記第１回転軸部の軸方向の一方の端部を介して前記第１筐体の内部から前記連結具に通し、前記第２回転軸部の回転中心を介して前記連結具から前記第２筐体の内部に通して配線されていることを特徴とするレーダー探知機。
【発明の詳細な説明】
【技術分野】
【０００１】
本発明は、レーダー探知機に関する。
【背景技術】
【０００２】
従来のレーダー探知機は、太陽電池パネルが上面に積層された第１筐体と、この第１筐体を載置可能な載置部を上面に有し、この載置部の周縁部の一縁側にヒューマンインターフェイス部（操作スイッチ、ＬＥＤで構成された警告ランプ等）が形成された第２筐体と、この第２筐体内に設置されたレーダー探知具とを備えている。
【０００３】
そして、このレーダー探知機は、載置部を挟んでヒューマンインターフェイス部が設置された前方側とは反対側である後方側の第２筐体の後端部に、第２筐体の上面に平行な平面内で第２筐体の前後方向に垂直な第１回転軸部を備えている（非特許文献１）。
【０００４】
このように形成されたレーダー探知機は、太陽電池パネルが上空を向くように、第１筐体を第２筐体に対して閉じて、ダッシュボード等の上において使用することができた。また、このレーダー探知機は、第１筐体を第２筐体に対して開いて、第２筐体をサンバーザー等に固定するなどしても使用することができた。
【非特許文献１】アイコー印刷株式会社が２００３年３月１０日に出版したパンフレット
【発明の開示】
【発明が解決しようとする課題】
【０００５】
しかし、上述したレーダー探知機は、ヒューマンインターフェイス部が、ダッシュボードに取り付けた場合と、サンバイザーに取り付けた場合とでは、逆さまになってしまうので、ダッシュボードからサンバイザーに付け替えたときなどには、気をつけていないとＬＥＤの表示を見間違えてしまったり、ボタンを左右間違えて押して操作を間違えてしまうという問題があった。
【０００６】
そこで本発明では、上述した問題点を解決し、ダッシュボード等の何かの上に設置したときと、サンバイザー等のなにかから吊り下げたときとで、ヒューマンインターフェイス部が逆さまにならないレーダー探知機を提供することを目的とする。
【課題を解決するための手段】
【０００７】
上述した問題点を解決するためになされた請求項１に記載の発明は、太陽電池パネルが上面に積層された第１筐体と、この第１筐体を載置可能な載置部を上面に有し、この載置部の周縁部の一縁側にヒューマンインターフェイス部が形成された第２筐体と、前記第２筐体内に設置されたレーダー探知手段とを備えるレーダー探知機において、前記載置部を挟んで前記ヒューマンインターフェイスが設置された前方側とは反対側である後方側の前記第２筐体の後端部に連結された連結具を備え、この連結具は、前記第２筐体の上面に平行な平面内で前記第２筐体の前後方向に垂直な第１回転軸部と、この第１回転軸部に垂直な第２回転軸部とを有し、前記第１回転軸部と前記第２回転軸部とを介して前記第１筐体及び前記第２筐体とを連結していることを特徴とする。
【０００８】
このレーダー探知機は、従来のレーダー探知機と同様、第１回転軸部により第２筐体に対して第１筐体を開くと共に、その開いた第１筐体を第２回転軸部の軸周りに回転して、第１回転軸部に対して回転させたとき下向きになった太陽電池パネルが上方を向くようにしている。
【０００９】
つまり、従来のレーダー探知機は第１回転軸部しか備えていなかったので、第一筐体を第２筐体に対して開くと太陽電池パネルが下を向いてしまい、そのためやむを得ず第２筐体部を上下逆さまにして使用していた。その結果、ヒューマンインターフェイス部が設置する場所によって逆さまになってしまった。しかし、本発明のレーダー探知機では、第１回転軸部で回転し下方を向いてしまった太陽電池パネル部を第２回転軸部によって上方に向きなおしている。
【００１０】
従って、本発明のレーダー探知機を用いると、ダッシュボード等の何かの上に設置したときと、サンバイザー等のなにかから吊り下げたときとで、ヒューマンインターフェイス部が逆さまになることを防止できる。
【００１１】
次に、請求項２記載のレーダー探知機は、請求項１記載のレーダー探知機において、前記第２回転軸部を介して前記連結具と前記第２筐体とが連結されている前記第２筐体の上面及び下面に対し着脱可能に形成され、前記第２筐体に取り付けられると前記連結具の前記第２回転軸部の回転を防止する回転防止具を備えていることを特徴とする。このようにすると第２回転軸部による回転を防止することができるので、第２筐体に対して開いた第１筐体が前方から見て左右に揺れるなどすることを防止することができる。
【００１２】
次に、請求項３記載のレーダー探知機は、請求項１，２のいずれか記載のレーダー探知機において、前記連結具は、前記第２回転軸部を介して前記連結具と前記第２筐体とを連結し、前記第１回転軸部を介して前記連結具と前記第１筐体とを連結するよう形成され、前記第１筐体から前記第２筐体に前記太陽電池パネルから供給された電力を供給する電力線を、前記第１回転軸部の軸方向の一方の端部を介して前記第１筐体の内部から前記連結具に通し、前記第２回転軸部の回転中心を介して前記連結具から前記第２筐体の内部に通して配線されていることを特徴とする。このようにすれば、簡単な構成で、電力線を第１筐体から第２筐体に配線することができる。
【発明を実施するための最良の形態】
【００１３】
以下、本発明を実施するための最良の形態について図面を用いて説明する。
図１はレーダー探知機の右側面図、図２は図１の矢印Ａに示すようにレーダー探知機の右後方上部からレーダー探知機本体を見た一部斜視図である。図２では図１の点線で囲まれた部分を示している。図３は、図２と同様の方向からみたレーダー探知機の一部斜視図で、連結具６について分解図で示したものである。図４は、連結具の斜視図と、第２筐体の後方側側面の一部斜視図で、第２筐体について分解図で示したものである。図５は、第２回転軸が設置される部分の説明図で、第２回転軸の軸中心で切断した断面図である。図６は、レーダー探知機本体部の右側面図で、第２筐体上に重ねられた第１筐体を第２筐体の後方側に開くまでの手順を示した図である。図７は、サンバイザーに本実施形態のレーダー探知機を設置した様子を示す模式図である。
【００１４】
本実施形態のレーダー探知機１は、図１及び図２に示すように、レーダー探知機本体部３と、このレーダー探知機本体部３から切り離し可能に構成された脚部９とを備えている。
【００１５】
レーダー探知機本体部３は、図２に示すように、太陽電池パネル４０が上面に積層された第１筐体４と、この第１筐体４を嵌合して載置可能な載置部５０を上面に有し、この載置部５０の周縁部の一縁側に、図１に示すように、ヒューマンインターフェイス部５２が形成された第２筐体５とを備えている。このうちヒューマンインターフェイス部５２とは、このレーダー探知機１を操作するための操作ボタン５２ａや、レーダーを探知したことを警告するためのＬＥＤ５２ｂのことである。また、第２筐体５は、その内部に図示しないレーダー探知用のアンテナと、そのアンテナでキャッチしたレーダーに基づいて、ＬＥＤを発光させる処理等を行う図示しないコンピュータを備えている。
【００１６】
尚、以下の説明において、載置部５０を挟んでヒューマンインターフェイス部５２が設置された一縁側を前方、その反対側を後方と呼ぶ。また、前方から後方をみたとき右側（図１の紙面の上方側）を右方、左側を左方と呼ぶ。
【００１７】
本実施形態のレーダー探知機本体部３は、図２に示すように、第２筐体５の後端部に連結された連結具６を備えている。この連結具６は、第２筐体５の上面に平行な平面内で前後方向に垂直な第１回転軸６０と、この第１回転軸６０に垂直な後述する第２回転軸６１とを有し、第１回転軸６０と第２回転軸６１とを介して第１筐体４及び第２筐体５とを連結している。
【００１８】
この連結具６は、図３に示すように、箱型に形成され、厚み方向側面で左右の二つのピース６ａ、６ｂに割れるように形成されている。これらのピース６ａ、６ｂはネジ止めされ、連結具６の厚み方向が前後方向と一致し、厚み方向に垂直な一対の辺が左右方向に平行に、これらと垂直な一対の辺が上下方向を向くように、第２筐体５の上面に重ねられた第１筐体及び第２筐体５の後方に取り付けられる。
【００１９】
この連結具６の上辺近傍部分は、第１筐体４の後方側に突き出された左右一対のネジ止め部４１ａ、４１ｂの間に嵌挿され、左方のネジ止め部４１ａを貫通して連結具６に達したネジである第１回転軸６０により、第１筐体４に回転可能に連結されている。
【００２０】
この結果、第１筐体４は、この連結具６に対し、第２筐体５の上面に平行な平面内で第２筐体５の前後方向に垂直な第１回転軸６０を介して回転可能に連結される。
一方、この連結具６は、右側のネジ止め部４１ｂを介して第１筐体４と連通するよう構成されているとともに、連結具６と第１筐体４とを回転可能に連結するよう構成されている。ただし、このような構成は周知の構成であるので、詳細な説明は省略する。尚、右側のネジ止め部４１ｂと連結具６とを回転可能に連結する構造及び、第１回転軸６０は、本願発明の第１回転軸部に相当する。
【００２１】
またこの連結具６は、図４に示すように、第１回転軸６０を介して第１筐体４に取り付けられるとき、第２筐体５に対向する側面に、第２筐体５側に向かって突設された円筒部６１ａ（図５参照）と、その先端に設けられたフランジ部６１ｂ（図５参照）を有する第２回転軸６１を備えている。この第２回転軸６１は、連結部６内と挿通可能に形成され、また、第２筐体５に取り付けると、第２筐体５の内部とも挿通可能となる。第２筐体５の後方側側面には、この第２回転軸６１の円筒部６１ａより直径が大きく、フランジ部６１ｂより直径の小さい孔部５３（図３参照）が設けられ、円筒部６１ａが孔部５３に嵌挿されるように組み立てられる。
【００２２】
この結果、連結具６は、前後方向に沿った第２回転軸６１（第１回転軸６０に垂直な回転軸）が設置され、この第２回転軸６１を中心に前後方向に垂直な平面に沿って回転する。
【００２３】
次に、第１筐体４から第２筐体５に延設され、太陽電池パネル４０で発電された電力を第２筐体５側に供給するための電線について説明する。
上述したように、連結具６は、第２回転軸６１を介して連結具６と第２筐体５とを連結し、右側のネジ止め部４１ａ（本願発明の第１回転軸部に相当）介して連結具６と第１筐体４とを連結している。
【００２４】
第１筐体４から第２筐体５に太陽電池パネル４０から供給された電力を供給する電力線を、右側のネジ止め部４１を介して第１筐体４の内部から連結具６に通し、第２回転軸６１の回転中心を介して連結具６から第２筐体５の内部に通して配線されている。
【００２５】
また、本実施形態のレーダー探知機１は、第２回転軸６１を介して連結具６と第２筐体５とが連結されている第２筐体５の上面及び下面に対し着脱可能に形成された回転防止具７を備えている。この回転防止具７は、第２筐体５に取り付けられると連結具６が嵌合する嵌合部７０を備え、この嵌合部７０が連結具６に嵌合することで第２回転軸６１の回転を防止している。
【００２６】
以上のように構成されたレーダー探知機１は、図１に示すように、ダッシュボード等の上に設置するときは、第２筐体５を第１筐体４の上に載置して回転防止具７を第２筐体５の下面側から取り付け、回転防止具７に取り付けられた脚部９を介してダッシュボードの上に配置する。するとダッシュボードの上に配置されたレーダー探知機１では、太陽電池パネル４０を上方に向けて設置することが出来る。
【００２７】
一方、図６（ａ）に示すように、第２筐体の下面に取り付けられている回転防止具７を取り、図６（ｂ）に示すように、第１筐体４を第１回転軸６１回りに回転させるとともに、連結具６を第２回転軸６２回りに回転させる。すると、図６（ｃ）に示すように、太陽電池パネル６０が第２筐体５の後方で上方を向いて設置される。そして、図６（ｄ）に示すように、回転防止具７を第２筐体５の上面から取り付け、図７に示すように、回転防止具７に取り付けられたアダプタ９ａを用いてサンバイザーに取り付ければ、第２筐体５をひっくり返すことなく、太陽電池パネル６０を上方に向けた状態で設置することができる。
【００２８】
以上説明したレーダー探知機１を用いると以下のような効果がある。
本実施形態のレーダー探知機１を用いると、ダッシュボード等の何かの上に設置したときと、サンバイザー等のなにかから吊り下げたときとで、ヒューマンインターフェイス部５２が逆さまになることを防止できる。
【００２９】
また、回転防止具７を用いて第２回転軸６１による回転を防止することができるので、第２筐体５に対して開いた第１筐体４が前方から見て左右に揺れるなどすることを防止することができる。
【００３０】
さらに本実施形態では、第２回転軸６１の軸中心に電線を通す簡単な構成を採用することで、電力線を第１筐体４から第２筐体５に配線することができる。
尚、以上本発明の一実施形態ついて説明したが、本発明はこの実施形態に何等限定されるものではなく、本発明の要旨を逸脱しない範囲において、種々なる態様で実施し得ることは勿論である。
【図面の簡単な説明】
【００３１】
【図１】本実施形態のレーダー探知機の右側面図である。
【図２】図１の矢印Ａに示すようにレーダー探知機の右後方上部からレーダー探知機本体を見た一部斜視図である。図２では図１の点線で囲まれた部分を示している。
【図３】図２と同様の方向からみたレーダー探知機の一部斜視図で、連結具６について分解図で示したものである。
【図４】連結具の斜視図と、第２筐体の後方側側面の一部斜視図で、第２筐体について分解図で示したものである。
【図５】第２回転軸が設置される部分の説明図で、第２回転軸の軸中心で切断した断面図である。
【図６】レーダー探知機本体部の右側面図で、第２筐体上に重ねられた第１筐体を第２筐体の後方側に開くまでの手順を示した図である。
【図７】サンバイザーに本実施形態のレーダー探知機を設置した様子を示す模式図である。
【符号の説明】
【００３２】
１…レーダー探知機、３…レーダー探知機本体部、４…第１筐体、５…第２筐体、６…連結具、７…回転防止具、９…脚部
【図１】
2005227173.tif 000003
【図２】
2005227173.tif 000004
【図３】
2005227173.tif 000005
【図４】
2005227173.tif 000006
【図５】
2005227173.tif 000007
【図６】
2005227173.tif 000008
【図７】
2005227173.tif 000009